(57)【特許請求の範囲】
【請求項１】
上階構造体を下階構造体の上に接合してなるものであり、上階構造体が床構造体の上部に壁パネル又は柱を立設して構成されてなる建物の接合構造において、
平板と台座とからなる引き寄せ金物を用い、引き寄せ金物の平板を上階構造体の壁パネルの縦枠又は柱の側面に固定し、引き寄せ金物の台座を上階構造体の床構造体の床下内に設けてなり、
下階構造体から上方へ突出する連結ボルトが上階構造体の側の上記引き寄せ金物の台座に緊結されてなることを特徴とする建物の接合構造。
【請求項２】
前記下階構造体が床構造体の上部に壁パネル又は柱を立設して構成され、前記連結ボルトが下階構造体の壁パネルの縦枠又は柱の側面に固定された引き寄せ金物に固定されたものである請求項１記載の建物の接合構造。
【請求項３】
前記下階構造体と上階構造体のそれぞれが建物ユニットからなる請求項１又は２記載の建物の接合構造。
【発明の詳細な説明】
【０００１】
【発明の属する技術分野】
本発明はユニット建物等の建物の接合構造に関する。
【０００２】
【従来の技術】
従来、下階建物ユニットの上に上階建物ユニットを据付けるに際しては、特公平5-38102 号公報に記載の如く、上階建物ユニットの床パネルの頭つなぎと下階建物ユニットの壁パネルの上枠とを連結ボルトにより緊結することとしている。ところが、この従来技術では、下階建物ユニットの壁パネルの上枠に上階建物ユニットの壁パネルの縦枠又は柱等ではなく、上階建物ユニットの床パネルの頭つなぎを連結ボルトで緊結するものであり、上階建物ユニットと下階建物ユニットの接合強度の向上に限界がある。
【０００３】
そこで、本出願人は、特願平9-90568 号公報に記載の如く、上階建物ユニットと下階建物ユニットの接合強度を向上するために、上階建物ユニットの床パネルの内部に格納した床金物と該上階建物ユニットの壁パネルの縦枠又は柱の側面に固定した上引き寄せ金物の台座とを連結ボルトで緊結するとともに、下階建物ユニットの壁パネルの縦枠又は柱の側面に固定した下引き寄せ金物に固定した連結ボルトを上階建物ユニットの床パネルの内部の上述の床金物に緊結するものを提案している。この先願技術によれば、下階建物ユニット側の連結ボルトが上階建物ユニットの床パネルの内部の床金物を介して、上階建物ユニットの壁パネルの縦枠又は柱の側面に固定された引き寄せ金物に固定されることにより、上階建物ユニットと下階建物ユニットとの接合強度を向上できる。
【０００４】
【発明が解決しようとする課題】
しかしながら、従来技術では、上階建物ユニットの壁パネルの縦枠又は柱の側面にて引き寄せ金物の台座が突出するものとなり、この引き寄せ金物を含む壁面内に設けられる開口の幅が台座の突出分だけ狭くなる。尚、下階建物ユニットの壁パネルの縦枠又は柱の側面においても引き寄せ金物の台座の突出を生ずるが、下階建物ユニットにおいて引き寄せ金物が設けられる壁パネルの上部では垂れ壁の存在があり、引き寄せ金物の台座を垂れ壁内に格納するものとし不都合を生じない。
【０００５】
本発明の課題は、上階構造体と下階構造体を高強度で接合するため、上階構造体の壁パネルの縦枠又は柱の側面に固定される引き寄せ金物を用いるに際し、引き寄せ金物を含む面内での開口の幅が該引き寄せ金物の存在により狭くなることを防止することにある。
【０００６】
【課題を解決するための手段】
請求項１に記載の本発明は、上階構造体を下階構造体の上に接合してなるものであり、上階構造体が床構造体の上部に壁パネル又は柱を立設して構成されてなる建物の接合構造において、平板と台座とからなる引き寄せ金物を用い、引き寄せ金物の平板を上階構造体の壁パネルの縦枠又は柱の側面に固定し、引き寄せ金物の台座を上階構造体の床構造体の床下内に設けてなり、下階構造体から上方へ突出する連結ボルトが上階構造体の側の上記引き寄せ金物の台座に緊結されてなるようにしたものである。
【０００７】
請求項２に記載の本発明は、請求項１に記載の本発明において更に、前記下階構造体が床構造体の上部に壁パネル又は柱を立設して構成され、前記連結ボルトが下階構造体の壁パネルの縦枠又は柱の側面に固定された引き寄せ金物に固定されたものである。
【０００８】
請求項３に記載の本発明は、請求項１又は２に記載の本発明において更に、前記下階構造体と上階構造体のそれぞれが建物ユニットからなるものである。
【０００９】
【作用】
請求項１に記載の本発明によれば下記▲１▼、▲２▼の作用がある。
▲１▼上階構造体を下階構造体の上に接合するに際し、下階構造体の側の連結ボルトが、上階構造体の壁パネルの縦枠又は柱の側面に固定されている引き寄せ金物の台座に緊結される。従って、連結ボルトは、上階構造体の壁パネルと下階構造体との間に該上階構造体の床構造体を挟持する如くになり、上階構造体と下階構造体との接合強度を向上できる。
【００１０】
▲２▼上階構造体の壁パネルの縦枠又は柱の側面に固定された引き寄せ金物は、その台座を該上階構造体の床構造体の床下内に設けられる。従って、引き寄せ金物の台座が上階構造体の壁パネルの縦枠又は柱の側面にて突出する如くがなく、それらの縦枠又は柱の側面には引き寄せ金物の平板が存在するだけとなり、この引き寄せ金物を含む壁面内に設けられる開口の幅を狭くすることがない。
【００１１】
請求項２に記載の本発明によれば下記▲３▼の作用がある。
▲３▼下階構造体の側の連結ボルトが該下階構造体の壁パネルの縦枠又は柱の側面に固定された引き寄せ金物に固定されることにより、上階構造体と下階構造体の接合強度をより向上できる。
【００１２】
請求項３に記載の本発明によれば下記▲４▼の作用がある。
▲４▼上階構造体と下階構造体のそれぞれを建物ユニットにて構成することにより、ユニット建物の上階建物ユニットと下階建物ユニットの接合において上記▲１▼〜▲３▼を実現できる。
【００１３】
【発明の実施の形態】
図１は上階建物ユニットと下階建物ユニットとの接合構造を示す模式図、図２は引き寄せ金物を示す模式図である。
【００１４】
ユニット建物１は、図１に示す如く、上階建物ユニット１０Ａを下階建物ユニット１０Ｂの上に接合してなるものである。
【００１５】
上階建物ユニット１０Ａと下階建物ユニット１０Ｂは基本的に同一構造であり、床構造体としての床パネル１１の上部に妻壁パネル２１、桁壁パネル３１を立設するように取着して構成される。
【００１６】
床パネル１１は、妻梁１２と桁梁１３を釘打ち及び／又は接着剤により接合した床枠組の下面に頭つなぎ１４を釘打ち及び／又は接着剤により取着され、該床枠組の上面に床面材１５を釘打ち及び／又は接着剤により取着されて構成される。
【００１７】
妻壁パネル２１は、下枠２２と縦枠２３と上枠２４とを釘打ち及び／又は接着剤により接合した壁枠組の両側に外壁面材（不図示）、内壁面材（不図示）を釘打ち及び／又は接着剤により取着されて構成される。
【００１８】
桁壁パネル３１は、下枠３２と縦枠３３と上枠３４とを釘打ち及び／又は接着剤により接着した壁枠組の両側に外壁面材（不図示）、内壁面材（不図示）を釘打ち及び／又は接着剤により取着されて構成される。
【００１９】
しかるに、上階建物ユニット１０Ａと下階建物ユニット１０Ｂは上下の引き寄せ金物４１、４２、連結ボルト４３を用いて以下の如くに緊結されて接合される（図１、図２）。ここで、引き寄せ金物４１（４２も同じ）は、図２に示す如く、妻壁パネル２１の縦枠２３の側面に添設される平板５１と、平板５１の端部に溶接される台座５２とを備える。平板５１にはボルト孔５１Ａが、台座５２にはボルト孔５２Ａが設けられる。
【００２０】
尚、下記(1) 、(2) は建物ユニット１０Ａ、１０Ｂの工場生産段階で施工され、下記(3) はユニット建物１の建設現場で施工される。
【００２１】
(1) 上階建物ユニット１０Ａへの上引き寄せ金物４１の取付け
上階建物ユニット１０Ａを組立てる前の段階で、上引き寄せ金物４１を床パネル１１の床下内から床面材１５に設けた切欠（不図示）を貫通するように配置し、該上引き寄せ金物４１の台座５２を床パネル１１の床下内に設け、該上引き寄せ金物４１の平板５１の下側部を座金付ボルト５３により木桟（スペーサ）１６を介して桁梁１３に固定する。ボルト５３は、桁梁１３、木桟１６のボルト挿通孔に挿通され、座金頭５３Ａ（不図示）を桁梁１３の外面に釘打ちされて回り止めされ、平板５１のボルト孔５１Ａを貫通したナット５３Ｂで固定される。
【００２２】
次に、床パネル１１の妻側外縁部に妻壁パネル２１を立設する。このとき、床パネル１１に上述の如くに固定されている上引き寄せ金物４１の平板５１は妻壁パネル２１の下枠２２に設けた切欠２２Ａを貫通し、縦枠２３の側面に添設せしめられるものとなる。尚、下枠２２の切欠２２Ａは、切欠２２Ａの開口を塞ぐ帯金物１７を該下枠２２に取着することにて補強される。
【００２３】
そして、上引き寄せ金物４１の平板５１を妻壁パネル２１の縦枠２３の側面に座金付ボルト５４により固定する。ボルト５４は縦枠２３のボルト挿通孔に挿通され、座金頭５４Ａを縦枠２３の外面に釘打ちされて回り止めされ、平板５１のボルト孔５１Ａを貫通してナット５４Ｂで固定される。
【００２４】
最後に、床パネル１１の桁側外縁部に桁壁パネル３１を立設する。桁壁パネル３１は床パネル１１、妻壁パネル２１のそれぞれに釘打ち固定される。これにより、上階建物ユニット１０Ａが組立てられる。
【００２５】
(2) 下階建物ユニット１０Ｂへの下引き寄せ金物４２の取付け
下階建物ユニット１０Ｂにあっては、下引き寄せ金物４２の平板５１を座金付ボルト５５により妻壁パネル２１の縦枠２３に固定し、その台座５２を妻壁パネル２１の壁内に設ける。ボルト５５は、縦枠２３のボルト挿通孔に挿通され、座金頭５５Ａを縦枠２３の外面に釘打ちされて回り止めされ、平板５１のボルト孔５１Ａを貫通してナット５５Ｂで固定される。
【００２６】
(3) 上階建物ユニット１０と下階建物ユニット１０Ｂの接合
建物ユニット１０Ａ、１０Ｂを生産工場からユニット建物１の建設現場へと輸送し、基礎の上に下階建物ユニット１０Ｂを据付け、下階建物ユニット１０Ｂの上に上階建物ユニット１０Ａを据付ける。そして、下引き寄せ金物４２の台座５２のボルト孔５２Ａに下方から連結ボルト４３を通し、この連結ボルト４３は下階建物ユニット１０Ｂの妻壁パネル２１の上枠２４に設けたボルト挿通孔２４Ａ、上階建物ユニット１０Ａの床パネル１１の頭つなぎ１４に設けたボルト挿通孔１４Ａ経由で、上引き寄せ金物４１の台座５２のボルト孔５２Ａを貫通してナット４３Ａで固定される。
【００２７】
従って、本実施形態によれば以下の作用がある。
▲１▼上階建物ユニット１０Ａを下階建物ユニット１０Ｂの上に接合するに際し、下階建物ユニット１０Ｂの側の連結ボルト４３が、上階建物ユニット１０Ａの妻壁パネル２１の縦枠２３の側面に固定されている上引き寄せ金物４１の台座５２に緊結される。従って、連結ボルト４３は、上階建物ユニット１０Ａの妻壁パネル２１と下階建物ユニット１０Ｂとの間に該上階建物ユニット１０Ａの床パネル１１を挟持する如くになり、上階建物ユニット１０Ａと下階建物ユニット１０Ｂとの接合強度を向上できる。
【００２８】
▲２▼上階建物ユニット１０Ａの妻壁パネル２１の縦枠２３の側面に固定された上引き寄せ金物４１は、その台座５２を該上階建物ユニット１０Ａの床パネル１１の床下内に設けられる。従って、上引き寄せ金物４１の台座５２が上階建物ユニット１０Ａの妻壁パネル２１の縦枠２３の側面にて突出する如くがなく、それらの縦枠２３の側面には上引き寄せ金物４１の平板５１が存在するだけとなり、この上引き寄せ金物４１を含む壁面内に設けられる開口の幅を狭くすることがない。
【００２９】
▲３▼下階建物ユニット１０Ｂの側の連結ボルト４３が該下階建物ユニット１０Ｂの妻壁パネル２１の縦枠２３の側面に固定された下引き寄せ金物４２に固定されることにより、上階建物ユニット１０Ａと下階建物ユニット１０Ｂの接合強度をより向上できる。
【００３０】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の建物の接合構造は、床構造体を床梁とするもの、床構造体の上部に柱を立設するものにも適用できる。また、本発明の建物の接合構造は、ユニット建物に限らず、広く一般の建物にも適用できる。
【００３１】
【発明の効果】
以上のように本発明によれば、上階構造体と下階構造体を高強度で接合するため、上階構造体の壁パネルの縦枠又は柱の側面に固定される引き寄せ金物を用いるに際し、引き寄せ金物を含む面内での開口の幅が該引き寄せ金物の存在により狭くなることを防止することができる。
【図面の簡単な説明】
【図１】図１は上階建物ユニットと下階建物ユニットとの接合構造を示す模式図である。
【図２】図２は引き寄せ金物を示す模式図である。
【符号の説明】
１  ユニット建物
１０Ａ  上階建物ユニット（上階構造体）
１０Ｂ  下階建物ユニット（下階構造体）
１１  床パネル（床構造体）
２１  妻壁パネル（壁パネル）
２３  縦枠
４１、４２  引き寄せ金物
４３  連結ボルト
５１  平板
５２  台座
【図１】
0003860655.tif 000002
【図２】
0003860655.tif 000003